(57)【要約】【課題】長手方向に沿って設けられた開口部を有する長尺のダクト本体と、このダクト本体の開口部を間に臨むようにダクト本体の内壁に相対向して長手方向に沿って設けられた１対の長尺の導電部と、を備え、この開口部に係止された電気器具に導電部から電力を供給するように構成された配電ダクトにおいて、多様な目的に対応してさまざまな付属品を任意の位置に取付けることができる汎用性の高い配電ダクトを提供する。【解決手段】ダクト本体２の側方に、付属品８に設けられた係合端部８ａを挟持可能な挟持部４が、長さ方向に連続して設けられている。【選択図】図１
2008193840.tif 000002
【特許請求の範囲】
【請求項１】
長手方向に沿って設けられた開口部を有する長尺のダクト本体と、このダクト本体の開口部を間に臨むようにダクト本体の内壁に相対向して長手方向に沿って設けられた１対の長尺の導電部と、を備え、この開口部に係止された電気器具に導電部を介して電力が供給されるように構成された配電ダクトであって、
上記ダクト本体の側方に付属品に設けられた係合端部を挟持可能な挟持部が、長さ方向に連続して設けられていることを特徴とする配電ダクト。
【請求項２】
上記挟持部は、ダクト本体の側方に断面略Ｃの字状に形成され、スリットを間に形成する相対向する一対の延長部材と、このスリットの内側に設けられ、スリットの幅よりも拡径された空隙部と、を有し、
上記一対の延長部材が、スリットにおいて付属品に設けられた係合端部の首部を挟持して付属品を係止可能に構成されていることを特徴とする請求項１に記載の配電ダクト。
【請求項３】
上記付属品の係合端部の先端は、断面略Ｃの字状に形成された上記挟持部の空隙部に係合可能に断面略Ｔの字状に形成され、
上記挟持部は、この断面略Ｔの字状に形成された係合端部の先端を上記空隙部に導入可能な導入口を長手方向の端部に備えていることを特徴とする請求項１または請求項２のいずれか１項に記載の配電ダクト。
【請求項４】
上記挟持部の１対の延長部材は、スリットに臨むそれぞれの先端に、
ダクト本体の長手方向に延びる溝部と、
この溝部の底部に設けられた補助導電部と、
を備え、
上記挟持部に係止される付属品にこれら補助導電部を介して電力を供給可能に構成されていることを特徴とする請求項１ないし請求項３のいずれか１項に記載の配電ダクト。
【請求項５】
上記ダクト本体は、開口部に対して反対側となる背面部に設けられ、ダクト本体の１対の導電部に電力を受け入れ可能な入力開口部と、
この入力開口部に着脱自在に取付け可能な給電プラグと、
を備え、
この給電プラグに設けられた係止突起が入力開口部の縁部に係止された状態で、入力開口部を通してダクト本体の中に導入された給電プラグの１対の端子が、それぞれ対応する導電部に電気的に接続されるように構成されていることを特徴とする請求項１ないし請求項３のいずれか１項に記載の配電ダクト。
【請求項６】
上記給電プラグは、ダクト本体の周辺の電気器具に電力を供給可能な予備のコンセントを少なくとも１つ側方に備えていることを特徴とする請求項１ないし請求項４のいずれか１項に記載の配電ダクト。
【請求項７】
上記ダクト本体は、このダクト本体の端部開口に着脱自在に挿入可能な端部仕上げ部材を備え、
この端部仕上げ部材は、ダクト本体の端部の断面を覆ってダクト本体の端部仕上げをするように構成されているとともに、索状部材に懸架可能なフック部を備えていることを特徴とする請求項６に記載の配電ダクト。
【請求項８】
上記ダクト本体は、開口部の内側において、長手方向に沿って延びる相対抗する1対の係止溝を備え、
この１対の係止溝に、ダクト本体の開口部を覆うカバー板が、両端を着脱自在に係止されるように構成されていることを特徴とする請求項１ないし請求項７のいずれか１項に記載の配電ダクト。
【請求項９】
上記ダクト本体の開口部を覆うように設けられたデザインセードを備え、
このデザインセードは、端部に設けられた上記係合端部が、上記ダクト本体の挟持部に係止可能に構成されていることを特徴とする請求項１ないし請求項８のいずれか１項に記載の配電ダクト。
【請求項１０】
上記ダクト本体を保持する片持ち部と、この片持ち部から延設され、壁面に固定可能なベース部とを有するダクト保持部材を備え、
このダクト保持部材は、片持ち部の端部に設けられた上記係合端部が、上記ダクト本体の挟持部に係止可能に構成されていることを特徴とする請求項１ないし請求項９のいずれか１項に記載の配電ダクト。
【請求項１１】
上記ダクト本体の開口部に取付けられるランプの光を反射する反射板を備え、
この反射板は、端部に設けられた上記係合端部が、上記ダクト本体の挟持部に係止可能に構成されていることを特徴とする請求項１ないし請求項１０のいずれか１項に記載の配電ダクト。
【請求項１２】
上記ダクト本体の側方に配置されるランプを備え、
このランプを保持するランプ保持部は、端部に設けられた上記係合端部が、上記ダクト本体の挟持部に係止可能に構成されていることを特徴とする請求項１ないし請求項１１のいずれか１項に記載の配電ダクト。
【請求項１３】
上記ダクト本体は、両端に、長手方向に対して所定の角度で傾く傾斜端面を備え、
この傾斜端面同士が接合された複数の上記ダクト本体が、多角形を形成可能に構成されていることを特徴とする請求項１ないし請求項１２のいずれか１項に記載の配電ダクト。
【発明の詳細な説明】
【技術分野】
【０００１】
本発明は、例えば壁や天井などに設置され、種々の電気器具に電力を供給するように構成された配電ダクトに関するものである。
【背景技術】
【０００２】
従来、壁や天井などに設置され、種々の電気器具に電力を供給するように構成された配電ダクトとして、図１３と図１４とに示すような、配電ダクト９１が知られている。図１３は、従来の天井に設置される配電ダクト９１を下面から見た説明図であり、図１４は、配電ダクト９１の概略の構成を示す断面図である。
【０００３】
図１３と図１４とに示すように、従来の配電ダクト９１は、断面概ねコの字状に形成された長尺のダクト本体９１ａと、この断面コの字状のダクト本体の相対向する２つの内面に絶縁材９１ｂ(図１４)を介して平行に設けられた１対の導電部９１ｃとを備えている。また、ダクト本体９１ａは、導電部９１ｃを配電ダクト９１の外から臨む開口部９１ｄと、配電ダクト９１に適合する電気器具９２(図２)に備えられた係止突起９２ａに係合可能な係合部９１ｅとを備えており、電気器具９２の一対の端子９２ｂが導電部９１ｃと電気的に接触した状態で、電気器具９２を配電ダクト９１に固定することができるように構成されている。
【０００４】
そして、この配電ダクト９１に、照明器具などの電気器具を、長手方向にわたって任意の数だけ取り付けて、図略の電源に接続される導電部９１ｃから、それぞれの電気器具に電力を供給することができるようになっている。
【発明の開示】
【発明が解決しようとする課題】
【０００５】
しかしながら、上述の図１３と図１４とに示すような従来の配電ダクト９１は、電気器具に電力を供給する配電ダクトとしての用途に限られており、付属品を任意の位置に取付けるように設計されたものではなかったので、多様な目的に対応することができなかった。
【０００６】
本発明は上記不具合に鑑みてなされたものであり、多様な目的に対応してさまざまな付属品を任意の位置に取付けることができる汎用性の高い配電ダクトを提供することを課題としている。
【０００７】
なお、本願に記載する配電ダクトは、上述の配電ダクトの従来技術のいずれにも該当せず、出願人の知る限りでは本願出願に類する公知例が無いため、本出願の時点では開示すべき先行技術文献情報は保有していない。
【課題を解決するための手段】
【０００８】
上記課題を解決するための本発明は、長手方向に沿って設けられた開口部を有する長尺のダクト本体と、このダクト本体の開口部を間に臨むようにダクト本体の内壁に相対向して長手方向に沿って設けられた１対の長尺の導電部と、を備え、この開口部に係止された電気器具に導電部から電力を供給するように構成された配電ダクトであって、上記ダクト本体の側方に付属品に設けられた係合端部を挟持可能な挟持部が、長さ方向に連続して設けられていることを特徴とする配電ダクトである。
【０００９】
本発明によれば、ダクト本体の側方に挟持部が長さ方向に連続して設けられ、付属品の係合端部を挟持することができるようになっているので、さまざまな付属品を任意の位置に取付けることができる結果、多様な目的に対応することができる汎用性の高い配電ダクトを実現することができるようになる。
【００１０】
ここで、上記挟持部は、ダクト本体の側方に断面略Ｃの字状に形成され、スリットを間に形成する相対向する一対の延長部材と、このスリットの内側に設けられ、スリットの幅よりも拡径された空隙部と、を有し、上記一対の延長部材が、スリットにおいて付属品に設けられた係合端部の首部を挟持して付属品を係止可能に構成されていることが好ましい。
【００１１】
このようにすれば、挟持部が断面略Ｃの字状に形成され、スリットを間に形成する相対向する一対の延長部材が、スリットにおいて付属品に設けられた係合端部の首部を挟持して付属品を係止可能に構成されているので、確実に付属品の係合端部を挟持することができる。
【００１２】
また、上記付属品の係合端部の先端は、断面略Ｃの字状に形成された上記挟持部の空隙部に係合可能に断面略Ｔの字状に形成され、上記挟持部は、この断面略Ｔの字状に形成された係合端部の先端を上記空隙部に導入可能な導入口を長手方向の端部に備えていることが好ましい。
【００１３】
このようにすれば、断面略Ｔの字状に形成された係合端部の先端を長手方向の端部に位置する導入口から空隙部に導入して係合させるので、係合端部の先端が挟持部から抜けることがなく、より確実に付属品の係合端部を挟持することができる。
【００１４】
また、上記挟持部の１対の延長部材は、スリットに臨むそれぞれの先端に、ダクト本体の長手方向に延びる溝部と、この溝部の底部に設けられた補助導電部と、を備え、上記挟持部に係止される付属品にこれら補助導電部を介して電力を供給可能に構成されていることが好ましい。
【００１５】
このようにすれば、挟持部の延長部材の先端に設けられた補助導電部を介して付属品に電力を供給可能であるので、照明器具などの電気器具を付属品として取付けることが容易になる結果、より多様な目的に対応することができる極めて汎用性の高い配電ダクトを実現することができるようになる。
【００１６】
また、上記ダクト本体は、開口部に対して反対側となる背面部に設けられ、ダクト本体の１対の導電部に電力を受け入れ可能な入力開口部と、この入力開口部に着脱自在に取付け可能な給電プラグと、を備え、この給電プラグに設けられた係止突起が入力開口部の縁部に係止された状態で、入力開口部を通してダクト本体の中に導入された給電プラグの１対の端子が、それぞれ対応する導電部に電気的に接続されるように構成されていることが好ましい。
【００１７】
このようにすれば、背面部の入力開口部に給電プラグが着脱自在に取付けることができるので、開口部側に給電プラグを取付ける必要がなくなる結果、配電ダクトの外観をすっきりとした好ましいものにすることができるようになる。
【００１８】
また、上記給電プラグは、ダクト本体の周辺の電気器具に電力を供給可能な予備のコンセントを少なくとも１つ側方に備えていることが好ましい。
【００１９】
このようにすれば、給電プラグの予備のコンセントを介してダクト本体の背面から周辺の電気器具に電力を供給することができるので、配電ダクト周辺の配線をすっきりとした好ましい外観にすることができるようになる。
【００２０】
また、上記ダクト本体は、このダクト本体の端部開口に着脱自在に挿入可能な端部仕上げ部材を備え、この端部仕上げ部材は、ダクト本体の端部の断面を覆ってダクト本体の端部仕上げをするように構成されているとともに、索状部材に懸架可能なフック部を備えていることが好ましい。
【００２１】
このようにすれば、端部仕上げ部材がダクト本体の端部の断面を覆ってダクト本体の端部仕上げをするので、配電ダクトの外観がすっきりしたものになる。また、この端部仕上げ部材のフック部に索状部材に懸架することができるので、天井から吊るしたりするなどより多様な目的に対応することができる結果、極めて汎用性の高い配電ダクトを実現することができるようになる。
【００２２】
さらに、端部仕上げ部材の両端をダクト本体の端部開口に着脱自在に挿入可能にすることにより、端部仕上げ部材をダクト本体とダクト本体との連結部材として用いることができる。
【００２３】
また、上記ダクト本体は、開口部の内側において、長手方向に沿って延びる相対抗する1対の係止溝を備え、この１対の係止溝に、ダクト本体の開口部を覆うカバー板が、両端を着脱自在に係止されるように構成されていることが好ましい。
【００２４】
このようにすれば、ダクト本体の１対の係止溝に、カバー板の両端を着脱自在に係止できるので、電気器具を取付けた箇所以外の開口部をカバー板で覆うことができる結果、すっきりとしたより好ましい外観にすることができるようになる。
【００２５】
また、この配電ダクトは、上記ダクト本体の開口部を覆うように設けられたデザインセードを備え、このデザインセードは、端部に設けられた上記係合端部が、上記ダクト本体の挟持部に係止可能に構成されていることが好ましい。
【００２６】
このようにすれば、デザインセードを挟持部に係止してダクト本体の開口部に取付けられる照明管球を覆うことができるので、配電ダクトを照明器具として構成することができる。しかも種々のデザインセードに交換可能であるので、より多様な目的に対応することができる極めて汎用性の高い配電ダクトを実現することができるようになる。
【００２７】
また、この配電ダクトは、上記ダクト本体を保持する片持ち部と、この片持ち部から延設され、壁面に固定可能なベース部とを有するダクト保持部材を備え、このダクト保持部材は、片持ち部の端部に設けられた上記係合端部が、上記ダクト本体の挟持部に係止可能に構成されていることが好ましい。
【００２８】
このようにすれば、ダクト保持部材を介してダクト本体を片持ち状態で壁面に固定できるので、より多様な目的に対応することができる。
【００２９】
また、この配電ダクトは、上記ダクト本体の開口部に取付けられるランプの光を反射する反射板を備え、この反射板は、端部に設けられた上記係合端部が、上記ダクト本体の挟持部に係止可能に構成されていることが好ましい。
【００３０】
このようにすれば、ダクト本体の挟持部にランプの光を反射する反射板を係止することができるので、効果的な照明器具としてこの配電ダクトを用いることができるようになる。
【００３１】
また、この配電ダクトは、上記ダクト本体の側方に配置されるランプを備え、このランプを保持するランプ保持部は、端部に設けられた上記係合端部が、上記ダクト本体の挟持部に係止可能に構成されていることが好ましい。
【００３２】
このようにすれば、ダクト本体の挟持部にランプを係止することができるので、より多様な目的に対応することができる。
【００３３】
また、上記ダクト本体は、両端に、長手方向に対して所定の角度で傾く傾斜端面を備え、この傾斜端面同士が接合された複数の上記ダクト本体が、多角形を形成可能に構成されていることが好ましい。
【００３４】
このようにすれば、複数のダクト本体の傾斜端面同士を接合することにより、多角形を形成することができるので、デザイン的に優れた配電ダクトを実現することができる。
【発明の効果】
【００３５】
以上説明したように、本発明によれば、さまざまな付属品を任意の位置に確実に取付けることができるので、多様な目的に対応することができる汎用性の高い配電ダクトを実現することができるという顕著な効果を奏する。
【発明を実施するための最良の形態】
【００３６】
以下、添付図面を参照しながら本発明の好ましい実施の一形態について詳述する。図１は、本発明の第１の実施の形態に係る配電ダクト１の構成を示す斜視図であり、図２は、配電ダクト１のダクト本体２の概略の構成を示す斜視図である。また、図４は、給電プラグ６の概略の構成を示す斜視図である。図５は、電気器具７と、付属品８が、それぞれ開口部５と、挟持部４とに取付けられた状態の構成を示す斜視図である。
【００３７】
図１と図２とに示すように、本発明の第１の実施の形態に係る長尺の配電ダクト１は、長尺のダクト本体２と、１対の長尺の導電部３と、挟持部４とを備え、図５に示すように、開口部５に取付けられた電気器具７と挟持部４に取付けられた付属品８とに電力を供給するように構成されている。
【００３８】
上記ダクト本体２は、引き抜き加工によるアルミ合金あるいは成形加工によるプラスチックからなる断面略コの字状に形成された部材であり、導電部３を配電ダクト１の外から臨む開口部５を長手方向に沿って有している。このダクト本体２は、断面コの字状の相対向する２つの内面にプラスチック製の絶縁材３ａ(図２)を介して平行に設けられた１対の導電部３を備えている。また、このダクト本体２は、開口部５に対して反対側となる背面部２ａに、１対の導電部３に電力を受け入れ可能な入力開口部２ｂと、この入力開口部２ｂに着脱自在に取付け可能な給電プラグ６と、を備えている。
【００３９】
上記導電部３は、開口部５を間に臨むようにダクト本体２の内壁に相対向して設けられた１対の長尺の金属製部材である。
【００４０】
そして、給電プラグ６に設けられた係止突起６ａ(図４)が、入力開口部２ｂの縁部２ｃに係止された状態で、入力開口部２ｂを通してダクト本体２の中に導入された給電プラグ６の１対の端子６ｂ(図４)が、それぞれ対応する導電部３に電気的に接続されるようになっている。
【００４１】
給電プラグ６は、本実施形態では、上部構造６ｄと下部構造６ｅとに分割可能に構成され、天井に設置されるコネクタ６ｆから電力を受けるように構成されている（図４）。また、この給電プラグ６は、予備のコンセント６ｃを側方に２つ備え、ダクト本体２の周辺に配置されるその他の電気器具に電力を供給できるようになっている。
【００４２】
これにより、まず、下部構造６ｅをダクト本体２に取り付け、上部構造６ｄを給電側に取付けてから下部構造６ｅと上部構造６ｄとを接続することにより、下部構造６ｅとダクト本体２との間の導電部を給電状態のまま露出させずにすみ、安全上好ましい。
【００４３】
ダクト本体２は、また、開口部５に、電気器具７(図５)に備えられた係止突起に係合可能な係合部２ｄ(図２)を備えており、電気器具７の一対の端子がこの導電部３と電気的に接触した状態で、電気器具７を配電ダクト１に固定することができるように構成されている。
【００４４】
この配電ダクト１は、開口部５の長手方向にわたって種々の電気器具７を任意の数だけ取り付けることができるようになっており、配電ダクト１の導電部３が給電プラグ６を介して図略の電源に接続されることにより、これら種々の電気器具７に電力が供給されるようになる。
【００４５】
上記挟持部４は、このダクト本体２の側方に付属品８を取付けられるように長さ方向に連続して設けられた断面略Ｃの字状の部分である。
【００４６】
この挟持部４は、図２に示すように、スリット４ａを間に形成する相対向する一対の延長部材４ｂと、このスリット４ａの内側に設けられ、スリット４ａの幅よりも拡径された空隙部４ｃと、を有し、一対の延長部材４ｂが、スリット４ａにおいて付属品８に設けられた係合端部８ａ（図５）の首部を挟持して付属品８を係止可能に構成されている。
【００４７】
ここで、付属品８の係合端部８ａの先端は、この断面略Ｃの字状に形成された挟持部４に係合可能に断面略Ｌの字状に形成され、挟持部４は、この断面略Ｔの字状に形成された係合端部８ａの先端を空隙部４ｃに導入可能な導入口４ｄ（図２）を挟持部４の長手方向の端部に備えている。
【００４８】
そして、係合端部８ａの先端を導入口４ｄから空隙部４ｃに導入することにより、付属品８を挟持部４に取付けることができるようになっている。
【００４９】
第１の実施形態では、この配電ダクト１は、図５に示すように、付属品８であるランプ１８を保持するランプ保持部１８ｂの端部に設けられた係合端部８ａが、ダクト本体２の挟持部４に係止可能に構成されおり、ダクト本体２の側方に配置されるランプ１８を着脱自在に取り付け可能になっている。
【００５０】
図３は、挟持部の補助導電部の概略の構成を示す断面図である。
【００５１】
図３に示すように、挟持部４の１対の延長部材４ｂは、スリット４ａに臨むそれぞれの先端に、ダクト本体２の長手方向に延びる溝部４ｅと、この溝部４ｅの底部に絶縁部４ｆを介して設けられた補助導電部４ｇと、を備え、挟持部４に係止される付属品８としてのランプ１８にこれら補助導電部４ｇと図略の配線とを介して電力を供給可能に構成されている。
【００５２】
この補助導電部４ｇは、ランプ１８として例えばＬＥＤなどの照明器具が用いられる場合は、直流１２Ｖの電源に接続されるなど、用途に応じて接続される電源が選択される。また、挟持部４に係止された付属品８に補助導電部４ｇと直接接続される端子が設けられている場合は、導電部３のように、配線を介することなく、電力を供給することができるようになる。
【００５３】
なお、本実施形態では、ランプ保持部１８ｂは、ランプ１８の反射板を構成しており、この反射板はまた、ダクト本体２の開口部５に取付けられる電気器具７としてのランプ１７の光を反射する反射板をも兼ねている。
【００５４】
また、この配電ダクト１は、図１に示すように、このダクト本体２の端部開口２ｅに着脱自在に挿入可能な端部仕上げ部材９を備え、この端部仕上げ部材９は、ダクト本体２の端部の断面を覆ってダクト本体２の端部仕上げをするように構成されているとともに、図略の天井から吊り下げられるワイヤーもしくはチェーンなどから構成される索状部材１０に懸架可能なフック部９ａを備えている。
【００５５】
このフック部９ａは、ダクト本体２がワイヤーもしくはチェーンなどを用いずに直接天井に取付けられる際には、両端のフック部９ａが天井に当接することにより、ダクト本体２が水平を維持した安定した状態で、天井に固定されるようになっている。
【００５６】
また、ダクト本体２は、開口部５の内側において、長手方向に沿って延びる相対抗する1対の係止溝２ｆ（図２）を備え、この１対の係止溝２ｆに、ダクト本体２の開口部５を覆うカバー板１１（図１）が、両端を着脱自在に係止されるように構成されている。
【００５７】
カバー板１１は、電気器具７が取付けられた状態で配電具を挿通させる切込み部１１ａを備えており、電気器具７が取り付けられている箇所以外の開口部５を覆うようになっている。
【００５８】
次に図1〜図５を参照して、本発明の第１の実施の形態に係る配電ダクト１の作用について説明する。
【００５９】
本発明の第１の実施の形態に係る配電ダクト１においては、まず、ダクト本体２の入力開口部２ｂの縁部２ｃに給電プラグ６に設けられた係止突起６ａを係止して、給電プラグ６の１対の端子６ｂを、それぞれ対応する導電部３に接続する。
【００６０】
次に、ダクト本体２の開口部５において電気器具７(図５)の係止突起６ａを係合部２ｄに係止して電気器具７を配電ダクト１に固定し、導電部３から電気器具７に対して電力を供給可能な状態とする。この時、一対の延長部材４ｂが、スリット４ａにおいて付属品８に設けられた係合端部８ａの首部を挟持して付属品８を係止する。
【００６１】
この時、適宜、１対の係止溝２ｆに、ダクト本体２の開口部５を覆うカバー板１１の両端を係止するようにして電気器具７が取り付けられている箇所以外の開口部５を覆って下面の外観をすっきりとしたものにする。
【００６２】
また、挟持部４において長手方向の端部の導入口４ｄから断面略Ｌの字状に形成された係合端部８ａの先端を空隙部４ｃに導入することにより、ダクト本体２の側方に付属品８としてランプ１８を係止して取付ける。
【００６３】
これにより、補助導電部４ｇと図略の配電路とを介してランプ１８に電力を供給可能な状態となる。
【００６４】
そして、この状態で、ダクト本体２の端部に端部仕上げ部材９を挿入して、ダクト本体２の端部の断面を覆うことによりダクト本体２の端部仕上げをする。
【００６５】
また、天井から懸架されている索状部材１０にフック部９ａを懸架し、給電プラグ６を設置場所の近くに設けられたコネクタ６ｆに接続することにより、開口部５に取付けられた電気器具７と、挟持部４に取付けられた両側のランプ１８に電力を供給することができる状態となる。
【００６６】
以上説明したように、本発明の第１の実施の形態に係る配電ダクト１によれば、ダクト本体２の側方に挟持部４が長さ方向に連続して設けられ、付属品８の係合端部８ａを挟持することができるようになっているので、さまざまな付属品８を任意の位置に取付けることができる結果、多様な目的に対応することができる汎用性の高い配電ダクト１を実現することができるようになる。
【００６７】
また、挟持部４が断面略Ｃの字状に形成され、スリット４ａを間に形成する相対向する一対の延長部材４ｂが、スリット４ａにおいて付属品８に設けられた係合端部８ａの首部を挟持して付属品８を係止可能に構成されているので、確実に付属品８の係合端部８ａを挟持することができる。
【００６８】
また、挟持部４の延長部材４ｂの先端に設けられた補助導電部４ｇを介して付属品８に電力を供給可能であるので、照明器具などの電気器具７を付属品８として取付けることが容易になる結果、より多様な目的に対応することができる極めて汎用性の高い配電ダクト１を実現することができるようになる。
【００６９】
また、背面部２ａの入力開口部２ｂに給電プラグ６が着脱自在に取付けることができるので、開口部５側に給電プラグ６を取付ける必要がなくなる結果、配電ダクト１の外観をすっきりとした好ましいものにすることができるようになる。
【００７０】
また、給電プラグ６の予備のコンセント６ｃを介してダクト本体２の背面から周辺の電気器具７に電力を供給することができるので、配電ダクト１の周辺の配線を好ましいものにすることができる。
【００７１】
また、端部仕上げ部材９がダクト本体２の端部の断面を覆ってダクト本体２の端部仕上げをするので、配電ダクト１の外観がすっきりしたものになる。また、この端部仕上げ部材９のフック部９ａに索状部材１０に懸架することができるので、天井から吊るしたりするなどより多様な目的に対応することができる結果、極めて汎用性の高い配電ダクト１を実現することができるようになる。
【００７２】
さらに、端部仕上げ部材９の両端をダクト本体２の端部開口に着脱自在に挿入可能にすることにより、端部仕上げ部材９をダクト本体２とダクト本体２との連結部材として用いることができる。
【００７３】
また、ダクト本体２の１対の係止溝２ｆに、カバー板１１の両端を着脱自在に係止できるので、電気器具７を取付けた箇所以外の開口部５をカバー板１１で覆うことができる結果、すっきりとしたより好ましい外観にすることができるようになる。
【００７４】
さらに、ダクト本体２の挟持部４にランプ１７の光を反射する反射板を係止することができるので、効果的な照明器具としてこの配電ダクト１を用いることができる。
【００７５】
そして、ダクト本体２の挟持部４にランプ１８を係止することができるので、より多様な目的に対応することができる。
【００７６】
次に、図６は、本発明の第２の実施の形態に係る配電ダクト２１の構成を示す斜視図である。図６に示すように、本発明の第２の実施の形態に係る配電ダクト２１においては、開口部５に電気器具７として照明管球２７が、挟持部４に付属品８としてデザインセード２８が取付けられる。デザインセード２８は、ダクト本体２の開口部５を覆うように設けられた半透明のプラスチック製のセードであり、端部に設けられた係合端部２８ａが、ダクト本体２の挟持部４に係止可能に構成されている。
【００７７】
また、付属品８であるデザインセード２８の係合端部２８ａの先端は、この第２の実施の形態に係る配電ダクト２１においては、断面略Ｃの字状に形成された挟持部４に係合可能に断面略Ｔの字状に形成されている。
【００７８】
このように第２の実施の形態に係る配電ダクト２１によれば、デザインセード２８を挟持部４に係止してダクト本体２の開口部５に取付けられる照明管球２７を覆うことができるので、配電ダクト２１を照明器具として構成することができる。しかも種々のデザインセード２８に交換可能であるので、より多様な目的に対応することができる極めて汎用性の高い配電ダクトを実現することができるようになる。
【００７９】
また、断面略Ｔの字状に形成された係合端部２８ａの先端を長手方向の端部に位置する導入口４ｄから空隙部４ｃに導入して係合させるので、係合端部２８ａの先端が挟持部４から抜けることがなく、より確実に付属品８の係合端部２８ａを挟持することができる。
【００８０】
さらに、図７は、本発明の第３の実施の形態に係る配電ダクト３１の構成を示す斜視図である。
【００８１】
本発明の第３の実施の形態に係る配電ダクト３１は、一方の反射板３６と、他方の反射板を兼ね、ダクト本体２を保持する片持ち部３７ａと、この片持ち部３７ａから延設され、壁面に固定可能なベース部３７ｂとを有するダクト保持部材３８を付属品８として備え、このダクト保持部材３８は、片持ち部３７ａの端部に設けられた係合端部３８ａが、上記ダクト本体２の挟持部４に係止可能に構成されている。
【００８２】
このように第３の実施の形態に係る配電ダクト３１によれば、ダクト保持部材３８を介してダクト本体２を片持ち状態で壁面に固定できるので、設置できる場所が広がる結果、より多様な目的に対応することができる。
【００８３】
そして、図８は、本発明の第４の実施の形態に係る配電ダクト４１の構成を示す平面図である。
【００８４】
本発明の第４の実施の形態に係る配電ダクト４１は、両端に、長手方向に対して所定の角度で傾く傾斜端面４１ａを備え、この傾斜端面４１ａ同士が接合された複数のダクト本体４２が、４角形を形成可能に構成されている。
【００８５】
このように第４の実施の形態に係る配電ダクト４１によれば、複数のダクト本体４２の傾斜端面４１ａ同士を接合することにより、多角形を形成することができるので、デザイン的に優れた配電ダクトを実現することができる。
【００８６】
上述した実施の形態は本発明の好ましい具体例を例示したものに過ぎず、本発明は上述した実施の形態に限定されない。
【００８７】
例えば、長尺の配電ダクト１、２１、３１、４１は、引き抜き加工によるアルミ合金製のものや成形加工によるプラスチック製のものに限定されない。ステンレス、真鍮その他の材料が採用可能である。
【００８８】
また、配電ダクト１、２１、３１、４１に取り付けられる電気器具７も、照明器具だけに限定されない。送風機など、配電ダクト１に直接固定されるその他の電気器具に対しても適用可能である。
【００８９】
また、挟持部４も、断面略Ｃの字状に形成されたものに限定されないし、付属品８の係合端部８ａの先端も、断面略ＬやＴの字状に形成されたものに限定されない。ダクト本体２の側方に付属品８を取付けられるものであれば、挟持部４の形状と係合端部８ａの形状とは、種々の設計変更が可能である。
【００９０】
さらに、端部仕上げ部材９、フック部９ａ、カバー板１１の係止構造なども、必ずしも図示の形状に限定されない。種々の設計変更が可能である。
【００９１】
図５の本発明の第１の実施の形態に係る配電ダクト１において、挟持部４に係止される付属品８としては、ランプ１８に限定されない。図９は、付属品８として円形照明器具５７付の反射板５８が挟持部４に取付けられた状態の構成を示す斜視図である。このように、種々の器具が付属品として適用可能である。
【００９２】
また、図７の本発明の第２の実施の形態に係る配電ダクト１において、挟持部４に取付けられるデザインセード２８も、必ずしも図示の形状に限定されない。図１０は、挟持部４に取付けられる変形例にかかるデザインセード６８の構成を示す斜視図であり、図１１は、挟持部４に取付けられるもう一つの変形例にかかるデザインセード７８の構成を示す斜視図である。
【００９３】
このように、デザインセード６８、７８は、端部に設けられた係合端部６８ａ、７８ａが、ダクト本体２の挟持部４に係止可能でダクト本体２の開口部５に取付けられる照明管球２７を覆うことができるものであれば、種々の設計変更が可能である。
【００９４】
さらり、図７の第３の実施の形態に係る配電ダクト３１において、ダクト本体２を保持する片持ち部３８ａと、ダクト保持部材３８とは、同一の部材で構成される必要はない。図１２は、第３の実施の形態の変形例に係る配電ダクト８１を示す斜視図である。
【００９５】
このように、ダクト本体２を片持ち状態で壁面に固定できる構成であれば、反射板を兼ねた片持ち部８８ａと、壁面に固定可能なベース部８８ｂとの別の部材をボルトナットなどの連結部材で連結してダクト保持部材８８を構成してもよい。
【００９６】
また、図の第４の実施の形態に係る配電ダクト１において、多角形は、必ずしも図示の形状のように４角形に限定されない。傾斜端面４１ａの角度を変更することにより、５角形、６角形など、種々の多角形に設計変更が可能である。
【００９７】
また、挟持部４に取り付けられる付属品８は、本実施形態で説明したようなランプ１８、５８や、デザインセード２８、６８、７８や、ダクト保持部材３８、８８などに限定されない。その他の種々の付属品に適用が可能である。
【００９８】
その他、本発明の特許請求の範囲内で種々の設計変更が可能であることはいうまでもない。
【図面の簡単な説明】
【００９９】
【図１】本発明の第１の実施の形態に係る配電ダクトの構成を示す斜視図である。
【図２】配電ダクトのダクト本体の概略の構成を示す斜視図である。
【図３】挟持部の補助導電部の概略の構成を示す断面図である。
【図４】給電プラグの概略の構成を示す斜視図である。
【図５】電気器具と、付属品が、それぞれ開口部と、挟持部とに取付けられた状態の構成を示す斜視図である。
【図６】本発明の第２の実施の形態に係る配電ダクトの構成を示す斜視図である。
【図７】本発明の第３の実施の形態に係る配電ダクトの構成を示す斜視図である。
【図８】本発明の第４の実施の形態に係る配電ダクトの構成を示す平面図である。
【図９】付属品として円形照明器具付の反射板が挟持部に取付けられた状態の構成を示す斜視図である。
【図１０】挟持部に取付けられる変形例にかかるデザインセードの構成を示す斜視図である。
【図１１】挟持部に取付けられるもう一つの変形例にかかるデザインセードの構成を示す斜視図である。
【図１２】第３の実施の形態の変形例に係る配電ダクトを示す斜視図である。
【図１３】従来の天井に設置される配電ダクトを下面から見た説明図である。
【図１４】配電ダクトの概略の構成を示す断面図である。
【符号の説明】
【０１００】
１、２１、３１、４１  配電ダクト
２    ダクト本体
２ａ  背面部
２ｂ  入力開口部
２ｃ  縁部
２ｆ  係止溝
３    導電部
４    挟持部
４ａ  スリット
４ｂ  延長部材
４ｃ  空隙部
４ｄ  導入口
４ｅ  溝部
４ｇ  補助導電部
５    開口部
６    給電プラグ
６ａ  係止突起
６ｂ  １対の端子
６ｃ  コンセント
７    電気器具
８    付属品
８ａ  係合端部
９    端部仕上げ部材
９ａ  フック部
１０  索状部材
１１  カバー板
１７  ランプ
１８  ランプ
１８ｂ  ランプ保持部
２８  デザインセード
３８  ダクト保持部材
３８ａ  片持ち部
３８ｂ  ベース部
４１ａ  傾斜端面
【図１】
2008193840.tif 000003
【図２】
2008193840.tif 000004
【図３】
2008193840.tif 000005
【図４】
2008193840.tif 000006
【図５】
2008193840.tif 000007
【図６】
2008193840.tif 000008
【図７】
2008193840.tif 000009
【図８】
2008193840.tif 000010
【図９】
2008193840.tif 000011
【図１０】
2008193840.tif 000012
【図１１】
2008193840.tif 000013
【図１２】
2008193840.tif 000014
【図１３】
2008193840.tif 000015
【図１４】
2008193840.tif 000016